(57)【要約】【課題】セプタム瓶を密閉しているセプタムキャップに貫通しているシリンジを自動的に抜くことができるサンプリング装置を実現する。【解決手段】サンプリング装置（１００）は、シリンジ（４）と、セプタム瓶（２０）を載置するためのステージ（１１）と、セプタム瓶（２０）を後退させるとともに、シリンジ（４）と対向する領域からセプタム瓶（２０）を退避させるようにステージ（１１）を移動させるガイド（５）と、引き抜き期間はセプタム瓶（２０）がシリンジ（４）にステージ（１１）から浮き上がることを規制するとともに、引き抜き完了後は規制を解除する固定具（１３）と、を備えている。【選択図】図１
0003209556.tif 000002
【実用新案登録請求の範囲】
【請求項１】
セプタム瓶のセプタムキャップに突き刺すためのシリンジと、
前記セプタム瓶を載置するためのステージと、
前記シリンジに前記セプタムキャップが突き刺さった状態から前記シリンジを引き抜く向きへ前記セプタム瓶を後退させるとともに、引き抜き完了後に前記シリンジと対向する領域から前記セプタム瓶を退避させるように前記ステージを移動させるガイドと、
引き抜き期間は前記セプタム瓶が前記シリンジに引っ張られて前記ステージから浮き上がることを規制するとともに、引き抜き完了後は前記規制を解除する固定具とを備えていることを特徴とするサンプリング装置。
【請求項２】
前記固定具は、前記引き抜き期間は、前記セプタムキャップを押さえており、前記セプタム瓶を退避させるように前記ステージが移動することにともない前記セプタムキャップ上から退避することを特徴とする請求項１に記載のサンプリング装置。
【請求項３】
前記ステージおよび固定具は、それぞれ磁石を有し、
前記磁石は前記固定具が前記セプタムキャップ上から退避する向きの反発力を有することを特徴とする請求項１または２に記載のサンプリング装置。
【考案の詳細な説明】
【技術分野】
【０００１】
本考案は、液体の試料のサンプリングを行うサンプリング装置に関する。
【背景技術】
【０００２】
従来、液体などの試料のサンプリングに際し、セプタム瓶を密閉するセプタムキャップ（蓋）を、シリンジ等で貫通し、シリンジ等を介して試料のサンプリングを行う方法が知られている。例えば、特許文献１では、ニードルを下降させて、ニードルの先端部をセプタムキャップに貫通させ、ニードルの先端から所定量の試料を吸引する技術が開示されている。
【先行技術文献】
【特許文献】
【０００３】
【特許文献１】特開２００９−１２２０９１号公報（２００９年６月４日公開）
【考案の概要】
【考案が解決しようとする課題】
【０００４】
しかしながら、通常、試料の揮発や異物混入を防止するために、セプタム瓶は、シリコン等の気密性の高いセプタムキャップで封止されている。そのため、例えば、セプタムキャップにシリンジを貫通させた後、シリンジをセプタムキャップから抜こうとした場合、セプタムキャップとシリンジとの摩擦によりセプタムキャップからシリンジが抜けにくいという問題がある。
【０００５】
本考案の一態様は、上記の問題点に鑑みてなされたものであり、その目的は、セプタム瓶を密閉しているセプタムキャップに貫通しているシリンジを自動的に抜くことができるサンプリング装置を実現することにある。
【課題を解決するための手段】
【０００６】
上記の課題を解決するために、本考案の一態様に係るサンプリング装置は、セプタム瓶のセプタムキャップに突き刺すためのシリンジと、前記セプタム瓶を載置するためのステージと、前記シリンジに前記セプタムキャップが突き刺さった状態から前記シリンジを引き抜く向きへ前記セプタム瓶を後退させるとともに、引き抜き完了後に前記シリンジと対向する領域から前記セプタム瓶を退避させるように前記ステージを移動させるガイドと、引き抜き期間は前記セプタム瓶が前記シリンジに引っ張られて前記ステージから浮き上がることを規制するとともに、引き抜き完了後は前記規制を解除する固定具とを備えていることを特徴とする。
【０００７】
上記構成によれば、引き抜き期間において、セプタム瓶は、固定具により、シリンジに引っ張られてステージから浮き上がることが規制される。このため、引き抜き期間において、セプタム瓶はステージから浮き上がらないので、ガイドによりシリンジを引き抜く向きへ後退するようにステージが移動することにより、シリンジをセプタムキャップから自動的に引き抜くことができる。
【０００８】
また、ステージは、ガイドにより引き抜き完了後にシリンジと対向する領域からセプタム瓶を退避させるように移動され、セプタム瓶に対する固定具による規制が解除される。このため、引き抜き完了後は、ユーザは、規制がない状態でサンプリング装置からセプタム瓶を取ることができる。
【０００９】
また、前記サンプリング装置において、前記固定具は、前記引き抜き期間は、前記セプタムキャップを押さえており、前記セプタム瓶を退避させるように前記ステージが移動することにともない前記セプタムキャップ上から退避することが望ましい。
【００１０】
上記構成によれば、引き抜き期間において、セプタムキャップは固定具に押さえられてステージから浮き上がることが規制される。さらに、セプタム瓶とシリンジとが対向する領域からセプタム瓶を退避するようにステージが移動することにともない、固定具がセプタムキャップ上から退避することで、上記規制が解除される。つまり、ステージの位置により固定具の上記規制の実効、および解除を行うことができる。
【００１１】
また、前記サンプリング装置において、前記ステージおよび固定具は、それぞれ磁石を有し、前記磁石は前記固定具が前記セプタムキャップ上から退避する向きの反発力を有することが望ましい。
【００１２】
上記構成によれば、磁石の反発力がセプタムキャップ上から退避する方向に働く。そのため、固定具のセプタム瓶に対する規制の解除を磁石の反発力が助け、確実に規制を解除することができる。
【考案の効果】
【００１３】
本考案の一態様によれば、セプタム瓶を密閉しているセプタムキャップに貫通しているシリンジを自動的に抜くことができるサンプリング装置を実現できる効果を奏する。
【図面の簡単な説明】
【００１４】
【図１】（ａ）および（ｂ）は、実施形態に係るサンプリング装置の側面図であり、（ａ）はステージが上昇してセプタムキャップにシリンジが貫通している状態を示し、（ｂ）は、ステージが下降してセプタムキャップからシリンジが抜け、引き抜き完了後にステージがシリンジと対向する領域からセプタム瓶を退避させている状態を示す。
【図２】（ａ）および（ｂ）は、上記サンプリング装置の斜視図であり、（ａ）は前方からの斜視図を示し、（ｂ）は後方からの斜視図を示す。
【図３】（ａ）〜（ｃ）は、上記サンプリング装置の動作を説明する模式図であり、（ａ）はセプタムキャップにシリンジが貫通している状態を示し、（ｂ）はシリンジを引き抜く向きへセプタム瓶を後退させ引き抜きが完了している状態を示し、（ｃ）は引き抜き完了後にシリンジと対向する領域からセプタム瓶を退避させている状態を示している。
【考案を実施するための形態】
【００１５】
本考案の実施形態について、図１および図２を用いて以下に説明する。なお、図２の（ａ）・（ｂ）では、図面の見やすさのために、接続部２、シリンジ固定部３、およびシリンジ４の図示を省略している。
【００１６】
サンプリング装置１００は、ステージ１１をシリンジ４に向かって上昇させることにより、セプタム瓶２０を密閉するセプタムキャップ２１にシリンジ４を貫通させて試料をセプタム瓶２０に注入する。また、サンプリング装置１００は、ステージ１１を下降させることにより、シリンジ４をセプタムキャップ２１から引き抜く。サンプリング装置１００は、図１の（ａ）・（ｂ）、および図２の（ａ）・（ｂ）に示すように、支持壁部１、接続部２、シリンジ固定部３、シリンジ４、ガイド５、ストッパ６、エアシリンダ７、ステージ駆動部８、および可動部１０を備えている。
【００１７】
支持壁部１は、水平方向に凸形状を有し、鉛直方向に自立する平板部材である。以降、支持壁部１の凸方向側を表側、その反対側を裏側として説明する。シリンジ４は、セプタム瓶２０のセプタムキャップ２１を突き刺し、セプタム瓶２０に試料を注入する。シリンジ４は、接続部２およびシリンジ固定部３を介して、支持壁部１の表側の上部に固定されている。シリンジ４は、先端が鉛直方向下向きになるように、固定されている。
【００１８】
ガイド５は、平板部材であり、支持壁部１の表側の下部に、支持壁部１と略垂直となるように設置されている。ガイド５は、その間をステージ１１が上昇または下降できる間隔を空けて２つ設置されている。２つのガイド５はそれぞれ、対象となる位置にガイド溝５ａを有する。溝５ａは、後述するガイドバー１４を挿通した際に摺動可能となる幅で形成されている。ガイド溝５ａは、連続する溝５１ａと溝５２ａとで構成されている。溝５１ａは、溝５１ａの長手方向が鉛直方向となるように形成されている。溝５２ａは、溝５１ａの下部に位置し、下にいくほど支持壁部１と離れていくように鉛直方向に対して斜めに形成されている。溝５１ａの長さＬは、シリンジ４がセプタムキャップ２１を貫通している状態から引き抜きが完了するまでのセプタム瓶２０を鉛直方向に後退させる距離を含む。
【００１９】
可動部１０は、一体となって上昇または下降する。可動部１０は、ステージ１１、載置部１２、固定具１３、および、ガイドバー１４を備えている。
【００２０】
ステージ１１は、載置部１２を載置し、かつ、前後に載置部１２を移動させるスライド機構を持つ部材である。ステージ１１は、シリンジ４の下部に位置し、一端がステージ駆動部８に接続されている。支持壁部１の裏側に設置されているエアシリンダ７によりステージ駆動部８のエアシリンダ７からの長さが調整されることで、ステージ１１はシリンジ４に向かって上昇または下降する。
【００２１】
ステージ１１のスライド機構の上面にはセプタム瓶２０を載置するための載置部１２を有する。載置部１２は略直方体の部材であり、上面にはセプタム瓶２０をはめ込むための孔１２ｂが形成されている。載置部１２の支持壁部１側の側面には凹部１２ｃが形成されている。凹部１２ｃにおいて、後述する固定具１３と支持壁部１との間には、ガイドバー１４が固定されている。ガイドバー１４は、支持壁部１の幅方向と略平行な方向に延伸する棒状部材である。ガイドバー１４の両端は２つのガイド溝５ａに挿通され、ガイド溝５ａの範囲で摺動する。そのため、ステージ１１が上昇または下降するときは、ガイド溝５ａによりステージ１１に移動する範囲を制限される。具体的には、ガイドバー１４は、引き抜き期間は溝５１ａを摺動し、シリンジ４にセプタムキャップ２１が突き刺さった状態からシリンジ４を引き抜く向きへセプタム瓶２０を後退させるようにステージ１１を移動させる。また、ガイドバー１４は、引き抜き完了後は溝５２ａを摺動し、シリンジ４と対向する領域からセプタム瓶２０を退避させるようにステージ１１を移動させる。ここで、引き抜き期間は、シリンジ４がセプタムキャップ２１を貫通している状態から、完全にシリンジ４がセプタムキャップ２１から引き抜かれる期間である。
【００２２】
固定具１３は、引き抜き期間は、セプタム瓶２０がシリンジ４に引っ張られてステージ１１から浮き上がることを規制するとともに、引き抜き完了後は上記規制を解除する。また、固定具１３は、セプタム瓶２０とシリンジ４とが対向する領域にステージ１１がいるときはセプタムキャップ２１を押さえており、セプタム瓶２０を退避させるようにステージ１１が移動することにともないセプタムキャップ２１上から退避する。固定具１３は、Ｌ字を回転させた形状であり、上部かつセプタムキャップ２１側に上部押え１３ｄを有する。固定具１３は、支点１３ｃを中心として回動可能に、凹部１２ｃに設置されている。固定具１３がセプタムキャップ２１側に回動すると、上部押え１３ｄはセプタムキャップ２１の上部に位置し、セプタムキャップ２１がステージ１１から浮き上がることを規制する。上部押え１３ｄには、上部押え１３ｄがセプタムキャップ２１の上部に位置するときに、シリンジ４が貫通可能な貫通孔１３ｂが形成されている。
【００２３】
また、固定具１３は、支点１３ｃ付近のセプタム瓶２０側に、磁石１３ａを有する。さらに、ステージ１１は凹部１２ｃの磁石１３ａに対向する箇所に、磁石１２ａを有する。磁石１３ａと磁石１２ａとは上部押え１３ｄがセプタムキャップ２１上から退避する向きの反発力を有する。
【００２４】
ストッパ６は、支持壁部１の幅方向と略平行な方向に延伸する棒状部材で、ステージ１１に固定されており、ステージ１１の高さに連動して上下のみに移動する。ガイドバー１４が、溝５１ａを摺動する引き抜き期間においては、ストッパ６により、上部押え１３ｄがセプタムキャップ２１を押さえる状態になるように、固定具１３の支持壁部１より押え続ける。
【００２５】
固定具１３の動きについて、図３に基づいて説明する。図３は説明を容易にするために説明に不要な箇所は図示を省略している。なお、可動部１０については、概略構成を模式的に断面図で示している。図３の（ａ）に示すように、シリンジ４がセプタムキャップ２１に貫通している状態では、鉛直方向の上限に位置するストッパ６が固定具１３を支持壁部１側から押さえているため、上部押え１３ｄがセプタムキャップ２１を鉛直下方向に押さえている。この状態で、シリンジ４を引き抜く向き（矢印Ａ１の向き、鉛直方向下向き）へ可動部１０を下降させると、図３の（ｂ）の状態となる。図３の（ａ）から図３の（ｂ）に示す引き抜き期間において、ストッパ６は、固定具１３を支持壁部１側から押え続けながら下降する。ストッパ６は、例えば、鉛直方向の上限から長さＬ、すなわち溝５１aの長さだけ鉛直方向に下がったレベルまで下降する。そのため、引き抜き期間は、固定具１３はストッパ６が押しあてられたままとなるので、セプタムキャップ２１も上部押え１３ｄにより上部から押さえつけられた状態となる。その結果、セプタムキャップ２１は上部押え１３ｄに押し下げられながら下降するので、可動部１０を下降させるだけで、シリンジ４をセプタムキャップ２１から自動的に引き抜くことができる。ここで、磁石１２ａと磁石１３ａとの間で反発力があるものの、その反発力よりもストッパ６による固定具１３を押さえつける力の方が大きいため、固定具１３と載置部１２との間隔が広がらない。
【００２６】
その後、ガイドバー１４が溝５２ａにおいて摺動を開始すると、載置部１２と固定具１３とは、シリンジ４と対向する領域からセプタム瓶２０を退避させる図３の（ｂ）の矢印Ｂ１が示す方向に移動を開始する。これにより、ストッパ６と固定具１３の支持壁部１側との間に水平方向に間隔が発生し、その水平方向の間隔の距離が広がり、磁石１２ａと磁石１３ａとの間の反発力により、上部押え１３ｄがセプタムキャップ２１上から退避する向きに力が動く。その結果、固定具１３が支持壁部１方向に回動して固定具１３が支持壁部１側へ傾き、セプタムキャップ２１の上部の規制が解放される。
【００２７】
また、セプタム瓶２０はシリンジ４と対向する下部領域から前方へ退避するため、シリンジ４から試料が垂れても、垂れた試料がセプタム瓶２０に付着することを回避することができる。
【符号の説明】
【００２８】
４  シリンジ、５  ガイド、１１  ステージ、１２ａ・１３ａ  磁石、１３  固定具、２０  セプタム瓶、２１  セプタムキャップ
【図１】
0003209556.tif 000003
【図２】
0003209556.tif 000004
【図３】
0003209556.tif 000005